(57)【要約】【課題】低コスト化を図りながら二軸の位置や角度を容易に調整することを可能にする自在継手及びこの自在継手を用いた保持装置を提供する。【解決手段】本発明に係る自在継手１２は、球頭部２１及び首部２２を有するボールジョイントである基部１６と、上面開口部２０ａに設けられた抜け止め部２９から首部２２を突出させ、抜け止め部２９で球頭部２１を抜け止め且つ回動自在に収納するとともに、底面の開口部２０ｂに着脱自在に設けられた蓋体２６を有する円筒状のハウジング１７と、ハウジング１７内で球頭部２１に円環状に当接するアタッチメント１８と、軸方向に移動可能に蓋体２６に取り付けられ、アタッチメント１８が抜け止め部２９との間で球頭部２１を押圧固定するようにアタッチメント１８を押圧する押圧部材であるネジ棒１９とを備えている。【選択図】　　　図４
2004052911.tif 000002
【特許請求の範囲】
【請求項１】
球頭部及び首部を有するボールジョイントと、
一方の開口部から前記首部を突出させ、前記開口部に設けられた前記抜け止め部で前記球頭部を抜け止め且つ回動自在に収納するとともに、他方の開口部に着脱自在に設けられた蓋体を有する筒状のハウジングと、
該ハウジング内で前記球頭部に円環状に当接するアタッチメントと、
軸方向に移動可能に前記蓋体に取り付けられ、該アタッチメントが前記抜け止め部との間で前記球頭部を押圧固定するように前記アタッチメントを押圧する押圧部材と
を備えたことを特徴とする自在継手。
【請求項２】
前記押圧部材は、前記蓋体に螺合されて取り付けられることを特徴とする請求項１に記載の自在継手。
【請求項３】
前記ハウジングには前記抜け止め部から前記ハウジングの側面にかけて延びる溝状の切欠部が形成され、該切欠部に前記首部が収まることにより前記首部を傾倒させることを特徴とする請求項１又は請求項２に記載の自在継手。
【請求項４】
請求項１乃至請求項３のいずれかに記載の自在継手の前記首部の端部にクランプ部を装着し、前記押圧部材の端部に保持部を装着したことを特徴とする保持装置。
【発明の詳細な説明】
【０００１】
【発明の属する技術分野】
本発明は、二軸間の角度や向きを自在に変えることができる自在継手及びこの自在継手を用いた保持装置に関するものである。
【０００２】
【従来の技術】
従来、図６に示すように、球体を利用して相対的な位置や角度の変化を可能としつつ二軸を連結させる自在継手２が、例えば釣り道具の保持装置１に用いられている。この自在継手２は、クランプ部５と一体形成された基体６に球体３を回動自在に保持し、ボルト４が球体３に螺合され、さらにこの球体３の回動を止め固定するネジ７が、基体６の側面から球体３の中心に向かって貫通して球体３に当接し押圧することによって、固定することができるようになっている。ボルト４には、所望の物、例えば筒体を取り付け、そこに釣り竿を装着するなどしている。
【０００３】
【発明が解決しようとする課題】
しかしながら、上記従来の自在継手２では、ネジ７の球体３に当接する面積が小さいため十分な摩擦力を球体３に加えることが難しく、図示を略す例えば釣り竿などの被保持体の重量によるモーメントに抗して球体３の回動を阻止することができない。そこで、図６に示すように、互いに垂直に交わる方向から力を加える等少なくとも２つのネジ７によって球体３を固定している。そのため、被保持体を取り付けたボルト４の位置や方向を変更する度に２つのネジ７をそれぞれ緩めたり締めたりする作業が必要となる。したがって、被保持体を一方の手で支えながら他方の手でネジ７をそれぞれ緩めたり締めたりすることを要し操作性に劣る。さらに、従来の自在継手２ではネジ７、すなわち球体３を固定するための部品が複数必要であるとともに、基体６にネジ７を設けるという製造工程も必要となり、製造コストを高める結果を招いていた。
【０００４】
本発明は、このような問題に鑑みてなされたもので、低コスト化を図りながら二軸の位置や角度を容易に調整することを可能にする自在継手及びこの自在継手を用いた保持装置を提供することを課題としている。
【０００５】
【課題を解決するための手段】
このような課題を解決するために、請求項１に係る発明は、球頭部及び首部を有するボールジョイントと、一方の開口部から前記首部を突出させ、前記開口部に設けられた前記抜け止め部で前記球頭部を抜け止め且つ回動自在に収納するとともに、他方の開口部に着脱自在に設けられた蓋体を有する筒状のハウジングと、該ハウジング内で前記球頭部に円環状に当接するアタッチメントと、軸方向に移動可能に前記蓋体に取り付けられ、該アタッチメントが前記抜け止め部との間で前記球頭部を押圧固定するように前記アタッチメントを押圧する押圧部材とを備えたことを特徴とする。
【０００６】
請求項２に係る発明は、請求項１に記載の発明において、前記押圧部材は、前記蓋体に螺合されて取り付けられることを特徴とする。
【０００７】
請求項３に係る発明は、請求項１又は請求項２に記載の発明において、前記ハウジングには前記抜け止め部から前記ハウジングの側面にかけて延びる溝状の切欠部が形成され、該切欠部に前記首部が収まることにより前記首部を傾倒させることを特徴とする。
【０００８】
請求項４に係る発明は、請求項１乃至請求項３のいずれかに記載の自在継手の前記首部の端部にクランプ部を装着し、前記押圧部材の端部に保持部を装着したことを特徴とする。
【０００９】
【発明の実施の形態】
以下、本発明の実施の形態を示す図面を参照して本発明を説明する。
【００１０】
図１及び図２は本実施の形態に係る自在継手を用いた保持装置を示す。この保持装置１０は、例えば釣竿や釣り用傘等の釣り道具を保持する装置であって、保持部１１と、自在継手１２と、クランプ部１３とを備えている。
【００１１】
自在継手１２は、ボールジョイントとしての基部１６と、ハウジング１７と、アタッチメント１８と、押圧部材としてのネジ棒１９とを備えている。
【００１２】
基部１６は、後述する円筒状のハウジング本体２０の内径と略一致する径を有する球頭部２１と、この球頭部２１を支持する截頭円錐状の首部２２とから構成され、首部２２の軸の延長線上に球頭部２１の中心が位置するように首部２２の上部に球頭部２１が一体に形成されている。また、首部２２の底面２３にはその軸上にネジ部２４が設けられて、クランプ部１３の後述する基体２５に螺着されるようになっている。
【００１３】
ハウジング１７は、一方の開口部である底面開口部２ｂ及び他方の開口部である上面開口部２０ａを備えた円筒状のハウジング本体２０と、この上面開口部２０ａを閉塞するため、着脱自在に設けられた蓋体２６とを備えている。ハウジング本体２０の底面の開口部２０ｂには、その径が基部１６の球頭部２１の径よりも小さくなるような抜け止め部２９が球頭部２１に一致する球面２８で形成されている。また、ハウジング本体２０の側面には開口部２０ｂから連なる溝状の切欠部２０ｃが形成され、首部２２を突出案内させている。また、ハウジング本体２０の上部内壁にはメネジ３０が形成されている。
【００１４】
蓋体２６はハウジング本体２０の外径と略一致する径を有する円盤状を呈しており、その一面には側面にオネジが形成された円柱凸部３１が設けられている。また、蓋体２６の軸中心には貫通したネジ孔３２が形成されている。
【００１５】
アタッチメント１８は、ハウジング本体２０の内径と略一致する径を有する円柱状を呈しており、その下面には、図３に示すように、球頭部２１の曲率と同じで、球頭部２１に円環状に当接する縁部３４を有している。すなわち、縁部３４の内側は基部１６の球頭部２１よりも曲率の大きい球面を有する凹部３３ａが形成されている。したがって、自在継手１２が組み立てられた場合に縁部３４が球頭部２１に当接するようになっている。
【００１６】
このアタッチメント１８を押圧する押圧部材であるネジ棒１９は、円筒状の保持部１１の底面開口を閉塞するための閉塞部材３７に固着され、自由端が蓋体２６のネジ孔３２に螺合されている。
【００１７】
自在継手１２を組み立てる際は、図２に示すように、基部１６をハウジング本体２０の上面開口部２０ａから首部２２を下にして軸方向に挿入させ、ハウジング本体２０の底面開口部２０ｂから首部２２を突出させるとともに、抜け止め部２９によって球頭部２１を抜け止めし、球頭部２１をハウジング本体２０内部に収容させる。つぎに、アタッチメント１８をその縁部３４が球頭部２１の上部に円環状に当接するようにハウジング本体２０内部に収容させた後に、ハウジング本体２０のメネジ３０と蓋体２６の円柱凸部３１のオネジとを螺合させることによりハウジング本体２０の開口部２０ａを蓋体２６によって閉塞する。さらに、蓋体２６のネジ孔３２にネジ棒１９を螺合させてハウジング１７の上部から内部にネジ棒１９を軸方向に挿通させる。これによって、ネジ棒１９が軸方向に進退自在に移動可能にハウジング１７に取り付けられ、アタッチメント１８が抜け止め部２９との間で球頭部２１を押圧固定する。
【００１８】
保持部１１は、円筒状を呈し、側面に２つのネジ孔１４，１４が形成されて、これらのネジ孔１４，１４にはそれぞれ止めネジ１５，１５が螺着されている。
【００１９】
クランプ部１３の基体２５は正面視下方に向けて開いたチャンネル状を呈し、正面視上壁４１には自在継手１２を取り付けるためのネジ孔４２が設けられている。また、一の側壁４３の内側には複数の突起４４が設けられるとともに、一の側壁４３に対向する他の側壁４５の内側には突起４４と対向して２つのネジ孔４６，４６が形成されている。
【００２０】
これらのネジ孔４６，４６にはそれぞれ緊締ネジ４７，４７が他の側壁４５の外側から内側に貫通して移動可能に螺合されている。緊締ネジ４７，４７の一端４８にはそれぞれ歯盤４９が遊着されており、また、他端５０には緊締ネジ４７，４７を移動させるときに緊締ネジ４７，４７を回すためのつまみ５１が設けられている。
【００２１】
ネジ孔４２に首部２２の底面２３に設けられたネジ部２４が螺合されることにより、首部２２の端部にクランプ部１３を装着して自在継手１２が取り付けられるとともに、押圧部材であるネジ棒１９の端部に保持部１１を装着し、自在継手１２に保持部１１が固着されて保持装置１０を構成している。
【００２２】
上記保持装置１０では、クランプ部１３に固定された基部１６に対してハウジング１７、押圧部材であるネジ棒１９ひいては保持部１１の位置と方向とを自在に変化させ、且つ所望の位置で固定させることができる。保持装置１０の使用者が保持部１１を所望の位置に合わせる際は、まず保持部１１をネジを緩める方向に回して蓋体２６に対してネジ棒１９を上方に移動させることにより基部１６に対してハウジング１７を回動自在な状態とする。すなわち、図３に示すように、ネジ棒１９が上方に位置した状態では、ネジ棒１９の先端がアタッチメント１８から離れ、押圧締付が解除され、基部１６の球頭部２１と、アタッチメント１８の縁部３４と、ハウジング１７の抜け止め部２９の球面２８との間に遊びが設けられた状態となり、ハウジング１７は基部１６に対して固定されずに回動自在な状態にある。このような状態で、保持装置１０の使用者は基部１６に対して保持部１１を動かして自由に所望の位置に合わせることができる。
【００２３】
つぎに、保持部１１を所望の位置と方向に合わせた使用者がその位置を固定させるために、使用者は保持部１１を所望の位置と方向に維持しながら、保持部１１をネジを締める方向に回して蓋体２６に対してネジ棒１９を下方に移動させる。これによって、図４に示すように、ネジ棒１９の先端がアタッチメント１８の中心に当接しさらに力が加わることによって、アタッチメント１８に押圧が加えられ、球頭部２１は縁部３４で押圧を受けることとなる。このため、縁部３４と抜け止め部２９との間に生じていた遊びがなくなって球頭部２１は縁部３４と抜け止め部２９とに挟持された状態となり、ハウジング１７は基部１６に対して固定されることとなる。これによって、使用者は保持部１１を所望の位置と方向に固定させることができる。そして、これらの操作は、クランプ部１３が固定されているので、片手でできる。
【００２４】
例えば釣りを行う際に保持装置１０を使用する場合について説明する。図５に示すように、クランプ部１３の一の側壁４３と他の側壁４５との間に取り付けたい場所の船縁やフェンス等の被挟時体５５を位置させてつまみ５１を回して緊締ネジ４７，４７を締めることにより、突起４４と歯盤４９との間で船縁等が挟圧されて保持装置１０が固定される。この状態で、保持部１１の上面開口から釣竿、傘の柄、複数の魚篭係止フック付柄等の被保持体５６を挿入して止めネジ１５，１５によって固定し保持させ、保持部１１を例えば右手で握って回して球頭部２１が動くように緩め、片手だけであるいは、例えば左手を釣り竿等に添えて所望の位置に合わせて反対方向に回し、固定させる。
【００２５】
この実施の形態に係る自在継手を用いた保持装置１０では、ネジ棒１９がアタッチメント１８を押圧し、その縁部３４が円環状に球頭部２１を押圧することにより基部１６に対してハウジング１７が所定の姿勢で固定されるようにされている。ネジ棒１９に繋がる保持部１１を指でなく片方の握りでわずかに回して締めたり緩めたりするだけで位置及び方向を変更又は固定維持することができる。確実な固定維持をするときには、ナット３８を蓋体２６にきつく当接させてネジ棒１９が容易に緩まないようにさせる。また、球頭部２１に押圧を加えるネジ棒１９に保持部１１が固着されているので、使用者は保持部１１を支えると同時に、その支えた手で保持部１１を回すことによって保持部１１の位置を変更又は固定維持させることができる。したがって、指と違い大きな力が発揮でき、片手で容易に操作することができる。さらに、ネジ棒１９がハウジング１７と保持部１１とを連結するとともに、球頭部２１に押圧を加える役割をも有するので、従来技術のように球体を固定するための新たな部品を必要とせず、またその新たな部品を設けるという製造工程も要さず、結果として製造コストの低減化を図ることができる。
【００２６】
また、このハウジング本体２０の側面に首部２２が遊挿可能な切欠部２０ｃを設けたので、基部１６に対してハウジング１７及びネジ棒１９の回動範囲が広くなり保持部１１に保持された被保持体の固定位置をより広い範囲で選択することができる。
【００２７】
なお、本発明は上述した形態に限られるものではなく、例えば上記各実施の形態では釣り道具を保持する装置について説明したが、二軸を連結させつつ相対的な位置関係を変更可能とするものであればよい。
【００２８】
【発明の効果】
本発明は、以上説明したように構成したので、低コスト化を図りながら二軸の位置や角度を容易に調整することを可能にする自在継手及びこの自在継手を用いた保持装置を提供することができる。
【図面の簡単な説明】
【図１】実施の形態１に係る自在継手を用いた保持装置の折り畳み状態を示す正面図である。
【図２】図１の保持装置の構成を示す分解斜視図である。
【図３】基部に対してネジ棒を緩めた状態を示す自在継手の断面図である。
【図４】基部に対してネジ棒を締めて固定させた状態を示す自在継手の断面図である。
【図５】図１の保持装置の使用態様を説明する全体斜視図である。
【図６】従来の保持装置を示す全体斜視図である。
【符号の説明】
１０　　保持装置
１１　　保持部
１２　　自在継手
１３　　クランプ部
１６　　基部（ボールジョイント）
１７　　ハウジング
１８　　アタッチメント
１９　　ネジ棒（押圧部材）
２０ａ　開口部（一方の開口部）
２０ｂ　開口部（他方の開口部）
２０ｃ　切欠部
２１　　球頭部
２２　　首部
２６　　蓋体
２９　　抜け止め部
【図１】
2004052911.tif 000003
【図２】
2004052911.tif 000004
【図３】
2004052911.tif 000005
【図４】
2004052911.tif 000006
【図５】
2004052911.tif 000007
【図６】
2004052911.tif 000008